Podtech/llm-jp-corpus-v4-ja_patent huggingface dataset:
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
データストアを表わすためにイベント処理ネットワークを作成するステップと、
前記イベント処理ネットワークにおいて、前記データストアのデータストアイベントを表わすテーブルコンポーネントを作成するステップと、
イベントストリームにおけるイベントのために、
前記データストアから前記イベントに対応するデータを選択すること、および、
前記データを前記イベントに追加すること、
を含む動作を行なうように、前記テーブルコンポーネントを外部関係ソースとして使用して前記イベント処理ネットワークのプロセッサを実行するステップとを含む、方法。
【請求項２】
前記データは、アプリケーションプログラミングインターフェイスメソッドコールを利用して、前記データストアから検索される、請求項１に記載の方法。
【請求項３】
前記アプリケーションプログラミングインターフェイスメソッドコールは、Ｊａｖａメソッドコールを含む、請求項２に記載の方法。
【請求項４】
前記データストアは、非リレーショナルデータベースを含む、請求項１〜３のいずれか１項に記載の方法。
【請求項５】
前記非リレーショナルデータベースは、ＨＢａｓｅデータベースを含む、請求項４に記載の方法。
【請求項６】
前記プロセッサは、連続クエリ言語プロセッサを含む、請求項１〜５のいずれか１項に記載の方法。
【請求項７】
１つ以上のプロセッサによって実行されると少なくとも以下の命令を行なうように１つ以上のコンピュータシステムを構成するコンピュータ実行可能命令を含む、コンピュータ読取可能プログラムであって、前記コンピュータ実行可能命令は、
前記１つ以上のプロセッサに、データストアのデータストアイベントを表わすテーブルコンポーネントを作成させる命令と、
前記１つ以上のプロセッサに、
前記１つ以上のプロセッサに、前記データストアからイベントストリームのイベントに対応するデータを選択させる命令、および、
前記１つ以上のプロセッサに、前記データを前記イベントに追加させる命令、
を行なうように、前記テーブルコンポーネントを外部関係ソースとして使用してイベント処理ネットワークのエンジンを実装させる命令とを含む、コンピュータプログラム。
【請求項８】
前記１つ以上のコンピュータシステムはさらに、前記１つ以上のプロセッサにマッピングコンポーネントを作成させる命令を行なうように構成される、請求項７に記載のコンピュータプログラム。
【請求項９】
前記マッピングコンポーネントは、前記イベントの属性と前記データに関連付けられた情報とのマッピングを特定するように構成される、請求項８に記載のコンピュータプログラム。
【請求項１０】
前記データに関連付けられた情報は、前記データに関連付けられたファミリーまたは修飾子のうちの少なくとも１つを含む、請求項９に記載のコンピュータプログラム。
【請求項１１】
前記１つ以上のコンピュータシステムはさらに、前記１つ以上のプロセッサに、前記テーブルコンポーネントの作成後、前記データに関連付けられた情報のスキーマを更新させる命令を行なうように構成される、請求項９または１０に記載のコンピュータプログラム。
【請求項１２】
前記スキーマは、前記イベント処理ネットワークの前記エンジンを実装する間に動的に更新され、
前記スキーマは、前記データに関連付けられたファミリータイプまたは修飾子タイプのうちの少なくとも１つを定義する、請求項１１に記載のコンピュータプログラム。
【請求項１３】
前記エンジンは、連続クエリ言語エンジンを含む、請求項７〜１２のいずれか１項に記載のコンピュータプログラム。
【請求項１４】
複数の命令を格納するメモリと、
前記メモリにアクセスするように構成されたプロセッサとを含む、システムであって、
前記プロセッサはさらに、少なくとも、
データストアのデータストアイベントを表わすテーブルコンポーネントを作成し、
前記データストアからイベントストリームのイベントに対応するデータを選択して当該データを前記イベントに追加するように、前記テーブルコンポーネントを外部関係ソースとして使用してイベント処理ネットワークのエンジンを実装する、
ために、前記複数の命令を実行するように構成される、システム。
【請求項１５】
前記イベント処理ネットワークの前記エンジンは、マップに少なくとも部分的に基づいて前記データを識別するように構成され、
前記マップは、前記テーブルコンポーネントの作成後に更新されるように構成され、
前記マップは、列ファミリーとして前記テーブルコンポーネントに含まれ、
前記データストアは、データ格納場所のクラスタを含み、
前記データストアは非リレーショナルデータベースを含む、または、前記エンジンは連続クエリ言語エンジンを含む、のうちの少なくとも１つである、請求項１４に記載のシステム。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
ニコチンおよび１つ以上のたばこ由来化合物を含む組成物であって、前記１つ以上のたばこ由来化合物が、前記たばこ由来化合物を含むたばこ膨化プロセスで採用されたガス流を凝縮して凝縮物を形成する工程と、前記凝縮物から前記１つ以上のたばこ由来化合物を選択的に回収して濃縮するために分留する工程とを含むプロセスによって得られる、組成物。
【請求項２】
前記１つ以上のたばこ由来化合物が、ドライアイスたばこ膨化プロセスで採用されるガス流を凝縮する工程によって得られる、請求項１に記載の組成物。
【請求項３】
前記ガス流内の前記１つ以上のたばこ由来化合物が、約１５０℃〜約４００℃の温度で揮発されることによってたばこから発生する請求項１〜２のいずれか１項に記載の組成物。
【請求項４】
前記ガス流内の前記１つ以上のたばこ由来化合物が、蒸気を含むガス流で約１５０℃〜約４００℃の温度で非ガス二酸化炭素を含浸させたたばこを処理し、それによって前記１つ以上のたばこ由来化合物を蒸発させることによって得られる、請求項１〜３のいずれか１項に記載の組成物。
【請求項５】
前記１つ以上のたばこ由来化合物が、異なる温度範囲での複数の段階で前記ガス流を凝縮して複数の凝縮物を形成することによって得られる、請求項１〜４のいずれか１項に記載の組成物。
【請求項６】
前記たばこ由来化合物の１つ以上が、テルペン、たばこアルカロイド、またはアルキルピラジンである、請求項１〜５のいずれか１項に記載の組成物。
【請求項７】
前記プロセスが、前記１つ以上のたばこ由来化合物を含む凝縮物を分留する工程をさらに含む、請求項１〜６のいずれか１項に記載の組成物。
【請求項８】
前記プロセスによって１つ以上の凝縮物から得られる前記たばこ由来化合物の１つ以上が、α−ピネン、β−ピネン、α−テルピネン、リモネン、ユーカリプトール、リナロール、カンファー、ボルネオール、シトロネロール、β−カリオフィレン、ｌ−ニコチン、ｌ−ミオスミン、ニコチリン、コチニン、３−シアノピリジン、２−メチル−ピラジン、２−エチル−ピラジン、２，３−ジメチル−ピラジン、６−エチル−２−メチル−ピラジン、トリメチル−ピラジン、２−エチル−５−メチル−ピラジン、およびジメチエチル−ピラジンで構成される群から選択される、請求項１〜７のいずれか１項に記載の組成物。
【請求項９】
請求項１〜８のいずれか１項に記載の組成物を含む、加熱式エアロゾル発生喫煙装置で使用するためのエアロゾル発生組成物。
【請求項１０】
前記組成物がプロピレングリコールおよびグリセロールをさらに含む、請求項９に記載のエアロゾル発生組成物。
【請求項１１】
方法であって、
１つ以上のたばこ由来化合物をガス流内に揮発させる工程と、
前記１つ以上の揮発成分または前記反応生成物のうち少なくとも一つを含む組成物を前記ガス流から回収する工程と、
少なくとも一つ以上の揮発した成分または反応生成物を選択的に回収または濃縮するために、前記組成物を分留する工程とを含む、方法。
【請求項１２】
前記１つ以上のたばこ由来化合物を前記ガス流内に揮発させる工程が、たばこ膨化プロセスにおいて、蒸気を含むガス流によって非ガス二酸化炭素を含浸させたたばこを加熱する工程を含む、請求項１１に記載の方法。
【請求項１３】
前記１つ以上の揮発した化合物の少なくとも一つを回収する工程が、前記ガス流を１つ以上の温度範囲で凝縮する工程を含む、請求項１１〜１２のいずれか１項に記載の方法。
【請求項１４】
１つ以上の前記回収されたたばこ由来化合物を、加熱式エアロゾル発生喫煙装置で使用するためのエアロゾル発生組成物に導入する工程をさらに含む、請求項１１〜１３のいずれか１項に記載の方法。
【請求項１５】
加熱式エアロゾル発生喫煙物品で使用するためのエアロゾル発生組成物を準備するための方法であって、
請求項１〜８のいずれか１項に記載の組成物を、ニコチン、プロピレングリコール、グリセロール、または上記の物質のうち少なくとも２つの組み合わせを含む１つ以上の水性組成物で調製する工程を含む、方法。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
アクチュエータ及び駆動シャフトを含むハンドルと、
アタッチメントの近位端と遠位端との間に延在する主軸を具備する前記本体部を持つアタッチメントであって、前記近位端は、前記駆動シャフトに結合し、前記アタッチメントは、所与の励振に応答する少なくとも１つの識別可能な共振周波数を持つ質量ばね識別可能アセンブリを更に含み、前記少なくとも１つの識別可能な共振周波数は、少なくとも２つの異なる共振周波数から選択される共振周波数を有する、前記アタッチメントと、
前記所与の励振を含む所定の周波数範囲に亘って前記アクチュエータを介して前記アタッチメントを制御するコントローラであって、前記コントローラは、少なくとも検出モードにおいて、前記所与の励振に応答する前記アタッチメントの前記質量ばね識別可能アセンブリの前記少なくとも１つの識別可能な共振周波数の存在を検出することにより、前記アタッチメントを一意に認識する前記コントローラと、
を有し、
前記質量ばね識別可能アセンブリは、（ｉ）リング質量ばねコンポーネントと、（ｉｉ）三次元構成の前記本体部と、の少なくとも１つを有する、パーソナルケア機器。
【請求項２】
前記アクチュエータが、主コイルを持つ永久磁石共振アクチュエータを有し、前記主コイルを持つ永久磁石共振アクチュエータが、センサ装置として動作可能である、請求項１記載のパーソナルケア機器。
【請求項３】
前記コントローラが、前記質量ばね識別可能アセンブリの識別可能な共振周波数の存在の検出において、前記センサ装置として、前記主コイルを持つ永久磁石共振アクチュエータを使用する、請求項２記載のパーソナルケア機器。
【請求項４】
前記質量ばね識別可能アセンブリが、前記主軸に中心を持つとともにリーフスプリングを介して前記本体部に機械的に結合されたリング部を持つ別個の質量ばねコンポーネントを含む前記リング質量ばねコンポーネントを有する、請求項１記載のパーソナルケア機器。
【請求項５】
前記リーフスプリングが、（ｉ）前記リング部の外周面から放射状に外側に延在するリーフスプリングと、（ｉｉ）前記主軸に沿った方向において前記リング部の少なくとも１つの表面から延在するリーフスプリングと、からなるグループから選択される１つを有する、請求項４記載のパーソナルケア機器。
【請求項６】
前記質量ばね識別可能アセンブリが、前記質量ばね識別可能アセンブリの前記少なくとも１つの識別可能な共振周波数に対応する前記本体部の共振モードを示す少なくとも１つの特徴を含む前記三次元構成の前記本体部を有する、請求項１記載のパーソナルケア機器。
【請求項７】
前記ハンドル内で前記駆動シャフトに隣接して配置されるセンサコイルを更に有し、前記コントローラが、前記質量ばね識別可能アセンブリの識別可能な共振周波数の存在の検出において前記センサコイルを使用する、請求項１記載のパーソナルケア機器。
【請求項８】
前記コントローラが、ユーザモードにおいて、前記質量ばね識別可能アセンブリの前記少なくとも１つの識別可能な共振周波数の存在を検出する前記検出モードにより前記アタッチメントを一意に認識することに応答して、（ｉ）パーソナライズされたユーザ設定の自動選択、（ｉｉ）ユーザ挙動のモニタリング、（ｉｉｉ）履歴データの収集、及び、（ｉｖ）それらの任意の組み合わせ、からなるグループから選択される前記パーソナルケア機器の少なくとも１つの動作を実行する、請求項１記載のパーソナルケア機器。
【請求項９】
前記コントローラが前記アタッチメントを制御する前記所定の周波数範囲が、（ｉ）第１の周波数と、（ｉｉ）前記第１の周波数よりも高い第２の周波数との間で生じる主機能周波数を更に含み、前記少なくとも１つの識別可能な共振周波数が、（ｉ）前記第１の周波数よりも小さい共振周波数、（ｉｉ）前記第２の周波数よりも大きい共振周波数、及び、（ｉｉｉ）前記パーソナルケア機器の前記主機能周波数によって妨害されない共振周波数、からなるグループから選択される少なくとも１つの共振周波数を有する、請求項１記載のパーソナルケア機器。
【請求項１０】
アクチュエータ及び駆動シャフトを含むハンドルと、所与の励振を含む所定の周波数範囲に亘って前記アクチュエータを介してアタッチメントを制御するコントローラであって、前記コントローラは、少なくとも検出モードにおいて、前記所与の励振に応答する前記アタッチメントの少なくとも１つの識別可能な共振周波数の存在を検出することにより、前記アタッチメントを一意に認識する前記コントローラと、を有するパーソナルケア機器のための前記アタッチメントであって、
前記アタッチメントの近位端と遠位端との間に延在する主軸を具備する本体部であって、前記近位端は、前記パーソナルケア機器の前記アクチュエータの前記駆動シャフトに結合する、前記本体部と、
前記所与の励振に応答する少なくとも１つの識別可能な共振周波数を持つ、前記本体部に結合される質量ばね識別可能アセンブリであって、前記少なくとも１つの識別可能な共振周波数は、少なくとも２つの異なる共振周波数から選択される共振周波数を有する、前記質量ばね識別可能アセンブリと、
を有し、
前記質量ばね識別可能アセンブリは、（ｉ）リング質量ばねコンポーネントと、（ｉｉ）三次元構成の前記本体部と、の少なくとも１つを有する、アタッチメント。
【請求項１１】
前記質量ばね識別可能アセンブリが、前記主軸に中心を持つとともにリーフスプリングを介して前記本体部に機械的に結合されたリング部を持つ別個の質量ばねコンポーネントを含む前記リング質量ばねコンポーネントを有する、請求項１０記載のアタッチメント。
【請求項１２】
前記リーフスプリングが、（ｉ）前記リング部の外周面から放射状に外側に延在するリーフスプリングと、（ｉｉ）前記主軸に沿った方向において前記リング部の少なくとも１つの表面から延在するリーフスプリングと、からなるグループから選択される１つを有する、請求項１１記載のアタッチメント。
【請求項１３】
前記質量ばね識別可能アセンブリが、前記質量ばね識別可能アセンブリの前記少なくとも１つの識別可能な共振周波数に対応する前記本体部の共振モードを示す少なくとも１つの特徴を含む前記三次元構成の前記本体部を有する、請求項１０記載のアタッチメント。
【請求項１４】
前記アクチュエータを介して前記コントローラが前記本体部及び前記質量ばね識別可能アセンブリを制御する前記所定の周波数範囲が、（ｉ）第１の周波数と、（ｉｉ）前記第１の周波数よりも高い第２の周波数との間で生じる主機能周波数を更に含み、前記少なくとも１つの識別可能な共振周波数が、（ｉ）前記第１の周波数よりも小さい共振周波数、（ｉｉ）前記第２の周波数よりも大きい共振周波数、及び、（ｉｉｉ）前記パーソナルケア機器の前記主機能周波数によって妨害されない共振周波数、からなるグループから選択される少なくとも１つの共振周波数を有する、請求項１０記載のアタッチメント。
【手続補正書】
【提出日】平成30年9月27日(2018.9.27)
【手続補正１】
【補正対象書類名】明細書
【補正対象項目名】００５３
【補正方法】変更
【補正の内容】
【００５３】
駆動スリーブ４０は、（クラッチプレート１２０を介した）用量設定要素６０とのインターフェース４２、１２１からリセットプレート１５０とのスプライン型歯インターフェース４１、１５１（図３）まで下方に延びる。これは、用量設定中、駆動スリーブ４０への回転拘束をもたらす。ボタン７０が押さえられたとき、これらのスプライン歯４１、１５１は、係合解除され、駆動スリーブ４０が駆動ばね９０の作用下で回転することを可能にし、設定用量を投薬する。ボタン７０を押さえることはまた、駆動スリーブ４０と用量設定要素６０との間の追加のスプラインクラッチ４３、６１（図７ａ）を係合させる。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
器官の画像において前記器官の血管形状を評価する視覚化ソフトウェアモジュールと、
前記器官の前記画像に重ね合わされる前記器官の腫瘍生存性マップを提供する腫瘍生存性ソフトウェアモジュールと、
前記器官の内部又はその近傍にある器具を追跡して、前記腫瘍生存性マップに応じた処置のため、前記器具が前記器官内に位置決めされるようにする撮像手段と、
を備えた、経カテーテル的動脈化学塞栓療法（ＴＡＣＥ）用のシステム。
【請求項２】
前記血管形状が、正規化平均血管半径（ＮＡＶＲＡＤ）、正規化平均血管直径（ＮＡＶＤ）、正規化血管数（ＮＶＣ）、血管セグメント長（ＶＳＬ）、角度合計測定基準による正規化平均血管蛇行（ＮＳＯＡＭ）、及び／又は変曲数測定基準による正規化平均血管蛇行（ＮＩＣＭ）のうちの１つ又は複数を含む、請求項１に記載のシステム。
【請求項３】
前記腫瘍生存性マップが、造影スキャンからのプレコントラスト磁気共鳴画像及び円錐ビームコンピュータトモグラフィ（ＣＢＣＴ）画像の減算を含む、請求項１に記載のシステム。
【請求項４】
前記腫瘍生存性マップが、腫瘍セグメンテーション内で演算され、任意配向の色分けされた３Ｄ最大値投影又は色分けされた２Ｄオーバーレイのうちの１つ又は複数として視覚化される、請求項１に記載のシステム。
【請求項５】
ボリューム的且つ局部的又は局所的な腫瘍強調不均一性を示すために、前記腫瘍生存性ソフトウェアモジュールが、定量的欧州肝臓病学会（ｑＥＡＳＬ）ソフトウェアに基づく後処理計算を含む、請求項１に記載のシステム。
【請求項６】
前記腫瘍生存性ソフトウェアモジュールが、選択された腫瘍栄養血管のプロファイルへの対象生存性情報の統合を含む、請求項１に記載のシステム。
【請求項７】
前記腫瘍生存性マップが、大規模壊死部分から高生存組織への色分けされたスケールを含む、請求項１に記載のシステム。
【請求項８】
経カテーテル的動脈化学塞栓療法（ＴＡＣＥ）用のコンピュータ可読プログラムを含む持続性コンピュータ可読記憶媒体であって、前記コンピュータ可読プログラムが、コンピュータ上で実行された場合に、前記コンピュータを請求項１に記載のシステムの視覚化ソフトウェアモジュール及び腫瘍生存性ソフトウェアモジュールとして機能させる、持続性コンピュータ可読記憶媒体。
【請求項９】
プロセッサと、
前記プロセッサに結合され、
関心領域の血管形状を特性化及び視覚化する視覚化ソフトウェアモジュールと、
腫瘍生存性撮像及び生存性誘導塞栓に対して、前記関心領域の前記血管形状を術間提供する腫瘍生存性ソフトウェアモジュールと、
血流パターンを予測し、塞栓端点を決定し、フィードバック制御メカニズムを提供することによって、ソラフェニブ処置を実行する予測モジュールと、
を格納するメモリと、
を備えた、経カテーテル的動脈化学塞栓療法（ＴＡＣＥ）用のシステム。
【請求項１０】
前記血管形状が、正規化平均血管半径（ＮＡＶＲＡＤ）、正規化平均血管直径（ＮＡＶＤ）、正規化血管数（ＮＶＣ）、血管セグメント長（ＶＳＬ）、角度合計測定基準による正規化平均血管蛇行（ＮＳＯＡＭ）、及び／又は変曲数測定基準による正規化平均血管蛇行（ＮＩＣＭ）のうちの１つ又は複数を含む、請求項９に記載のシステム。
【請求項１１】
前記腫瘍生存性撮像が、造影スキャンからのプレコントラスト磁気共鳴画像及び円錐ビームコンピュータトモグラフィ（ＣＢＣＴ）画像の減算を含む、請求項９に記載のシステム。
【請求項１２】
前記腫瘍生存性撮像が、腫瘍セグメンテーション内で演算され、任意配向の色分けされた３Ｄ最大値投影又は色分けされた２Ｄオーバーレイのうちの１つ又は複数として視覚化される、請求項９に記載のシステム。
【請求項１３】
ボリューム的且つ局部的又は局所的な腫瘍強調不均一性を示すために、前記腫瘍生存性ソフトウェアモジュールが、定量的欧州肝臓病学会（ｑＥＡＳＬ）ソフトウェアに基づく後処理計算を含む、請求項９に記載のシステム。
【請求項１４】
前記腫瘍生存性ソフトウェアモジュールが、選択された腫瘍栄養血管のプロファイルへの対象生存性情報の統合を含む、請求項９に記載のシステム。
【請求項１５】
視覚化ソフトウェアモジュールを用いて、器官の画像において前記器官の血管形状を評価するステップと、
腫瘍生存性ソフトウェアモジュールを用いて、前記器官の前記画像に重ね合わされる前記器官の腫瘍生存性マップを生成するステップと、
前記器官の内部又はその近傍にある器具の塞栓端点を決定して、前記腫瘍生存性マップに応じた処置のため、前記器具が前記器官内に位置決めされるようにするステップと、
を含む、経カテーテル的動脈化学塞栓療法（ＴＡＣＥ）用の方法。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ヘッド部及び長手方向軸線を有するシャフト部を含む骨プレートを備え、
前記ヘッド部は前記シャフト部より幅広であり、前記骨プレートはさらに、
前記シャフト部に画定された複数のねじ付きロッキング骨ファスナ用開口部、
前記シャフト部に画定され且つ前記長手方向軸線に揃えられた複数の非ねじ付きノンロッキング骨ファスナ用開口部及び
複数の骨ファスナを含み、
前記複数の非ねじ付き骨ファスナ用開口部のそれぞれは前記複数のねじ付き骨ファスナ用開口部の少なくとも１つと対を成して複数の別個の開口部クラスタを形成し、第１開口部クラスタは前記シャフト部の近位端付近に位置決めされ、第２開口部クラスタは前記シャフト部の遠位端付近に位置決めされ、
複数の骨ファスナであって、各骨ファスナはシャフト及びヘッドを備え、各ヘッドは前記ねじ付きロッキング骨ファスナ用開口部と螺合して固定角のロッキング構造を構築するように寸法設計及び構成され、各ヘッドはまた、前記非ねじ付きノンロッキング骨ファスナ用開口部と直接係合して多軸圧迫構造を構築するように寸法設計及び構成される、
患者の折れた骨を内固定するための骨プレートシステム。
【請求項２】
折れた骨を一方向に動的に圧迫するための一方向に傾斜した開口部をさらに備え、前記一方向に傾斜した開口部が前記シャフト部の長手方向軸線を中心として、実質的に前記第１開口部クラスタと前記第２開口部クラスタとの間に位置決めされる、請求項１に記載の骨プレートシステム。
【請求項３】
前記一方向に傾斜した開口部が細長いスロットを備える、請求項２に記載の骨プレートシステム。
【請求項４】
前記骨プレートの前記ねじ付き及び非ねじ付き骨ファスナ用開口部のそれぞれが同じ呼び寸法を有する、請求項１〜３のいずれか１項に記載の骨プレートシステム。
【請求項５】
前記第１又は第２開口部クラスタのいずれかにおける前記ねじ付き及び非ねじ付き骨ファスナ用開口部の１つを選択し、前記複数の骨ファスナの１つをそこに挿入することで外科医が前記骨プレートを骨のほぼ同じ部位に取り付け得る、請求項１〜４のいずれか１項に記載の骨プレートシステム。
【請求項６】
前記複数のロッキング骨ファスナ用開口部のそれぞれが前記長手方向軸線に対して斜めの軸線を有する開口部を画定する、請求項１〜５のいずれか１項に記載の骨プレートシステム。
【請求項７】
前記複数のノンロッキング骨ファスナ用開口部のそれぞれが前記長手方向軸線に対して垂直の軸線を有する開口部を画定する、請求項１〜６のいずれか１項に記載の骨プレートシステム。
【請求項８】
前記複数の骨ファスナのそれぞれが、ロッキング骨ファスナ及びノンロッキング骨ファスナの１つとして互換的に作用するように構成される、請求項１〜７のいずれか１項に記載の骨プレートシステム。
【請求項９】
各開口部クラスタが、前記長手方向軸線の横方向で対向するサイド上に配置された少なくとも２つのねじ付きロッキング骨ファスナ用開口部を備える、請求項１〜８のいずれか１項に記載の骨プレートシステム。
【請求項１０】
前記ねじ付き開口部のそれぞれが骨の中心へと内側を向く軸線を有する開口部を画定し、前記第１及び第２開口部クラスタの少なくとも２つのそれぞれのねじ付き開口部が互いに離れて延びる、請求項１〜９のいずれか１項に記載の骨プレートシステム。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
外因性目的遺伝子に機能的に連結されたハムスターＧＡＰＤＨプロモーターを含む発現カセットを含む、組換え発現ベクターであって、
（ａ）配列番号３５に記載の核酸配列または配列番号３８に記載の核酸配列に少なくとも９５％同一である核酸配列を含み、及び
（ｂ）前記プロモーターに機能的に連結された
調節エレメントをさらに含む、組換え発現ベクター。
【請求項２】
前記ＧＡＰＤＨプロモーターが配列番号５０のヌクレオチド配列を含む、請求項１に記載の組換え発現ベクター。
【請求項３】
前記ＧＡＰＤＨプロモーターの３’側かつ前記目的遺伝子の５’側に、配列番号５２のヌクレオチド配列を含む、請求項１または２に記載の組換え発現ベクター。
【請求項４】
前記調節エレメントが、配列番号３５または配列番号３８と少なくとも９８％同一である核酸配列を含む、請求項１〜３のいずれか一項に記載の組換え発現ベクター。
【請求項５】
前記調節エレメントが、配列番号３５または配列番号３８と少なくとも９９％同一である核酸配列を含む、請求項１〜４のいずれか一項に記載の組換え発現ベクター。
【請求項６】
前記調節エレメントが、配列番号３５の核酸配列を含む、請求項１〜５のいずれか一項に記載の組換え発現ベクター。
【請求項７】
前記調節エレメントが、配列番号３８の核酸配列を含む、請求項１〜５のいずれか一項に記載の組換え発現ベクター。
【請求項８】
前記調節エレメントがプラス方向である、請求項１〜７のいずれか一項に記載の組換え発現ベクター。
【請求項９】
請求項１〜８のいずれか一項に記載の組換え発現ベクターを含む、哺乳動物宿主細胞。
【請求項１０】
前記細胞がＣＨＯ細胞である、請求項９に記載の哺乳動物宿主細胞。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
少なくとも、第１のカートリッジに含まれる第１の物質、および、第２のカートリッジに含まれる第２の物質から放出される、一連の、少なくとも２種の活性薬剤の送達に用いられる吸入器であって、
第１および第２のカートリッジの少なくとも１つと流体連通し、かつ、第１および第２の活性薬剤の少なくとも１つの送達のための前記吸入器の出力と流体連通するように構成される蒸気チャンバと、
異なる複数の吸入イベントで供給されるための前記第１および第２の活性薬剤を投与するための投薬量データが蓄積されるメモリと、
前記メモリと通信し、少なくとも第１および第２の物質の組成による前記第１および第２の活性薬剤を選択するように構成されるコントローラと、
を備え、
前記投薬量データは、ユーザに対する所定の治療効果を誘導するために選択される前記第１および第２の活性薬剤における、所定気化量と、前記第１の活性薬剤の供給後の前記第２の活性薬剤の供給とを含み、
前記コントローラは、
前記投薬量データによる、前記ユーザに前記第１の活性薬剤の送達を行い、順次、前記ユーザに前記第２の活性薬剤の送達を行うように構成され、
前記ユーザに前記所定の治療効果を誘導するために適した組み合わせを提供するために、前記所定気化量から前記気化量の少なくとも１つに自動的に調整し、および／または、前記第１および第２の活性薬剤を送達するタイミングを調整するように構成されている、
吸入器。
【請求項２】
前記コントローラは、前記第１および前記第２の活性薬剤の少なくとも１つが送達されてから、前記第１および第２の活性薬剤の少なくとも１つによって、前記ユーザに誘導される少なくとも１つの効果の消失されるまでを含む期間の間、前記所定気化量から前記気化量を自動的に調整するように構成されている、
請求項１に記載の吸入器。
【請求項３】
前記コントローラは、前記ユーザ毎に算出され、かつ、前記吸入器の入力として受信される治療ウインドウ内で前記ユーザを維持するように、前記第１および第２の活性薬剤の少なくとも１つの気化量を選択するように構成されている、
請求項１または請求項２に記載の吸入器。
【請求項４】
前記コントローラは、前記投薬量データによる前記第１および第２の活性薬剤の気化量を選択するように構成されている、
請求項１〜３の何れか１項に記載の吸入器。
【請求項５】
前記気化量は、耐用可能な精神作用性活性レベルを維持する間、前記ユーザに前記治療効果を誘導するために選択される、
請求項１〜４の何れか１項に記載の吸入器。
【請求項６】
前記第１および第２の活性薬剤は、前記治療効果を相乗的に誘導するために選択される、
請求項１〜５の何れか１項に記載の吸入器。
【請求項７】
前記第１および第２の活性薬剤は、相反する効果を誘導するために選択される、
請求項１〜６の何れか１項に記載の吸入器。
【請求項８】
前記コントローラは、０〜３０分の時間間隔で前記活性薬剤のそれぞれを送達するように、前記第１および第２の活性薬剤の送達を制御するように構成されている、
請求項１〜７の何れか１項に記載の吸入器。
【請求項９】
前記コントローラは、フィードバックに基づいて、前記気化量と、前記第１および第２の活性薬剤が送達される間の時間間隔との少なくとも一方を、反復的に部分変更するように構成されている、
請求項１〜８の何れか１項に記載の吸入器。
【請求項１０】
ユーザインターフェースは、前記ユーザに前記第１および第２の活性薬剤の少なくとも１つによって前記ユーザに誘導される薬力学的効果のレベルの個人的な決定を受信するために前記ユーザを対話するように構成される装置と関連付けられている、
請求項１〜９の何れか１項に記載の吸入器。
【請求項１１】
前記コントローラは、１種以上のバイオマーカーを測定するのに適した１つ以上のセンサからフィードバックデータを受信し、かつ、それに応じて前記気化量を調整するように構成されている、
請求項１〜１０の何れか１項に記載の吸入器。
【請求項１２】
前記第１および第２の活性薬剤のそれぞれは、薬物動態学的効果および薬力学的効果の少なくとも１つを前記ユーザに別々に誘導するように選択される、
請求項１〜１１の何れか１項に記載の吸入器。
【請求項１３】
前記第１および第２の活性薬剤の少なくとも１つは、Δ９‐テトラヒドロカンナビノール（ＴＨＣ）、カンナビジオール（ＣＢＤ）、カンナビゲロール（ＣＢＧ）、カンナビクロメン（ＣＢＣ）、カンナビノール（ＣＢＮ）、カンナビノジオール（ＣＢＤＬ）、カンナビシクロール（ＣＢＬ）、カンナビエルソイン（ＣＢＥ）、カンナビディバリン（ＣＢＤＶ）、テトラヒドロカンナビバリン（ＴＨＣＶ）およびカンナビトリオール（ＣＢＴ）から成る群から選択される、
請求項１〜１２の何れか１項に記載の吸入器。
【請求項１４】
使用の位置に前記第１および第２のカートリッジを移動させるフィーダをさらに備え、
前記第１および第２のカートリッジは、電気的な抵抗要素を有する、専用の加熱要素を含む、
請求項１〜１３の何れか１項に記載の吸入器。
【請求項１５】
前記カートリッジを通過する空気流速の指標を測定するために配置されるセンサを備え、
前記コントローラは、前記センサによって得られる前記指標に基づいて前記第１および第２の活性薬剤の少なくとも１つの前記気化量を調整するように構成されている、
請求項１〜１４の何れか１項に記載の吸入器。
【請求項１６】
前記第１および第２のカートリッジのそれぞれは、所定量の前記第１および第２の活性薬剤をそれぞれ含む、
請求項１〜１５の何れか１項に記載の吸入器。
【請求項１７】
前記第１および第２の物質は、植物性素材を含む、
請求項１〜１６の何れか１項に記載の吸入器。
【請求項１８】
前記植物性素材は、タバコを含む、
請求項１７に記載の吸入器。
【請求項１９】
前記コントローラは、
ａ．前記第１および第２の物質の組成による前記第１および第２の活性薬剤を選択する、
ｂ．前記気化量、および／または、前記第１および第２の活性薬剤に関連して、前記気化量、および／または、前記第１および第２の活性薬剤の送達のタイミングを自動的に調整する、
ｃ．センサから受信した指標に基づいて前記第１の活性薬剤の吸入を検出し、それに応じて前記タイミング、および／または、前記第２の活性薬剤の量を調整する、
ｄ．前記蒸気チャンバにおける使用の位置に前記第１および第２のカートリッジのそれぞれにおける別々の移動を制御することによって、送達を実行する、
ｅ．上記のそれぞれを任意に組み合わせる、
から成る群から選択される少なくとも１つを実行するように構成されている、
請求項１〜１８の何れか１項に記載の吸入器。
【手続補正書】
【提出日】平成30年10月3日(2018.10.3)
【手続補正１】
【補正対象書類名】明細書
【補正対象項目名】発明の名称
【補正方法】変更
【補正の内容】
【発明の名称】対話型ブロック
【手続補正２】
【補正対象書類名】特許請求の範囲
【補正対象項目名】全文
【補正方法】変更
【補正の内容】
【特許請求の範囲】
【請求項１】
複数の面を有する対話型ブロックであって、
プロセッサと、
前記対話型ブロックの方位を決定するよう構成されたセンサと、
前記複数の面の各々を、複数の相互結合構造における隣接の対話型ブロックの面のいずれかと物理的に結合するよう構成された結合構造と、
無線通信インターフェイスと、
前記複数の面の各１つにおける複数の実質的に同一のブロック通信インターフェイスであって、前記ブロック通信インターフェイスの各々は、露出した電子接点のグループを含み、前記露出した電子接点のグループは、前記複数の面の１つの平面に沿って配置され、かつ、前記複数の相互結合構造の少なくとも２つにおいて隣接の対話型ブロックの面の平面に沿って配置された露出した電子接点のグループと整列し物理的に接触するよう構成され、前記複数の相互結合構造の少なくとも２つにおいて前記対話型ブロックの前記プロセッサと前記隣接の対話型ブロックのプロセッサとの間に通信回路を提供する前記ブロック通信インターフェイスと、
コンピュータ読み取り可能な命令を記憶するコンピュータ読み取り可能な媒体と、
を備え、
前記コンピュータ読み取り可能な媒体は、前記プロセッサにより実行された時には、前記対話型ブロックに、
少なくとも１つの前記通信回路を介して、前記隣接の対話型ブロックから送信された隣接データよりなる電気信号を受信する処理と、
少なくとも前記隣接データと前記対話型ブロックの前記方位とに基づいて、前記対話型ブロック及び前記隣接の対話型ブロックの状態データを決定する処理と、
前記無線通信インターフェイスを通じて、前記状態データを電子装置に送信する処理と、を実行させる、
対話型ブロック。
【請求項２】
前記無線通信インターフェイスを介して受信される点灯命令に応答してオンするよう構成された光源を更に備える、請求項１記載の対話型ブロック。
【請求項３】
前記光源は多色光源であり、前記点灯命令は前記光源に対して所定の波長を規定する、請求項２記載の対話型ブロック。
【請求項４】
前記対話型ブロックは、立方体形状を有する、請求項２記載の対話型ブロック。
【請求項５】
前記露出した電気接点のグループは、電力レベル情報を伝え、電力を送り、電力を受け取ることが可能である一つ以上の電子接点を備える、請求項１記載の対話型ブロック。
【請求項６】
前記電子装置は、前記対話型ブロック及び前記隣接の対話型ブロックを充電する基地局を有し、前記対話型ブロック上の前記電子接点は、前記基地局から電力を受け取ることが可能である、請求項１記載の対話型ブロック。
【請求項７】
前記結合構造は、前記対話型ブロックの各コーナーに磁石を備える、請求項１記載の対話型ブロック。
【請求項８】
前記複数の相互結合構造の少なくとも２つは、前記対話型ブロック及び前記隣接の対話型ブロックのための１つ以上の完全に整列した結合構造と、前記対話型ブロック及び前記隣接の対話型ブロックのための１つ以上の片寄らせた結合構造と、からなる、請求項１記載の対話型ブロック。
【請求項９】
前記複数の面の少なくとも幾つかは、光源からの光が通過できる透光性である、請求項２記載の対話型ブロック。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
気管内チューブ挿管のための、角度を設けたブジー先端（５１２）を有する遠位セクションに連結された近位セクションを備える導入器（５００）であって、
気管内チューブを進ませて導入器の後端を越えさせ、気管の中に入れ、ブジーとして使用するように構成することができ、且つ
気管内チューブが気管の中へ挿入するために導入器の上に事前に装填された、スタイレットとして使用するように構成することができる導入器。
【請求項２】
前記近位セクションが第１の展性のサブセクション（５０４）を含み、
前記遠位セクションが
前記近位セクションの前記第１の展性のサブセクション（５０４）に連結された第１の可撓性のサブセクション（５０６）と、
前記第１の可撓性のサブセクションに連結していて、角度を設けたブジー先端を有する第２の展性のサブセクション（５０８）と
を含む請求項１に記載の導入器。
【請求項３】
近位セクションが
導入器の後端にある第２の可撓性のサブセクション（５０２）と、
前記第２の可撓性のサブセクションに連結された前記第１の展性のサブセクション（５０４）と
を含む請求項２に記載の導入器。
【請求項４】
近位セクションは、グリップ領域を形成するために１８０度未満曲げることができ、
スタイレットとして使用するよう構成された導入器に事前に装填された気管内チューブがさらに挿入されるのを阻止する止め部を形成するグリップ領域、および
前記近位セクションが導入器に沿って異なる位置で曲がることを可能にして、
第１の位置で、前記ブジー先端は完全に事前に装填された気管内チューブの遠位端を越えて延在するようにし、
第２の位置で、前記完全に事前に装填された気管内チューブの前記遠位端が前記ブジー先端を越えて延在する
請求項２に記載の導入器。
【請求項５】
前記近位セクションが、曲げられている近位セクションが角度を設けたブジー先端と実質的に同一平面にあるように方向性を有して曲がるよう設計され、
前記近位セクションが、方向性を有して曲がるように寄与するために、厚いよりも広いこと、および
前記近位セクションが前記方向性を有して曲がるように寄与する、内部のフラットワイヤを含むこと
の少なくとも１つである請求項２に記載の導入器。
【請求項６】
前記近位セクションの近位端が、導入器をスタイレットとして使用するように構成されたとき、前記近位セクションを約１８０度曲げることができるように、前記近位セクションの残りと比較して大きさが減少し、大きさの減少した近位端は導入器用のハンドルを形成および維持するために前記事前に装填された気管内チューブの後端に挿入することができる
請求項２に記載の導入器。
【請求項７】
前記近位セクションの前記近位端が、前記近位セクションの前記残りと比較して平らである請求項６に記載の導入器。
【請求項８】
前記遠位セクションが直接喉頭鏡またはビデオ喉頭鏡のために異なった角度で曲がり得るようにし、前記展性の遠位セクションが、方向性を有するように曲がるよう設計され、前記遠位セクションが前記角度を設けたブジー先端と実質的に同一平面で曲がるように展性である請求項２に記載の導入器。
【請求項９】
前記近位セクションはグリップ領域を形成するために１８０度未満曲がることができ、スタイレットとして使用するよう構成された導入器に、前記事前に装填された気管内チューブがさらに挿入されるのを阻止する止め部を形成することができ、
前記近位セクションが導入器に沿って異なる位置で曲がることを可能にして、
第１の位置で、前記ブジー先端が完全に事前に装填された気管内チューブの遠位端を越えて延在するようにし、
第２の位置で、完全に事前に装填された気管内チューブの前記遠位端が前記ブジー先端を越えて延在するようにし、
前記近位セクションが、曲げられている近位セクションが角度を設けたブジー先端と実質的に同一平面にあるように方向性を有して曲がるよう設計され、
前記近位セクションが方向性を有して曲がるように寄与するために、厚いよりも広いこと、および
前記近位セクションが前記方向性を有して曲がるように寄与する、内部のフラットワイヤを含むこと
の少なくとも１つであり、
前記近位セクションの近位端が、導入器をスタイレットとして使用するように構成されたとき、前記近位セクションを約１８０度まで曲げることができるように、前記近位セクションの残りと比較して平らであり、前記平らな近位端は導入器用のハンドルを形成および維持するために前記事前に装填された気管内チューブの後端に挿入されることができ、
前記遠位セクションは、直接喉頭鏡またはビデオ喉頭鏡のために異なった角度で曲がり得るように展性であって、展性の前記遠位セクションは方向性を有するように曲がるよう設計され、これによって遠位セクションが角度を設けたブジー先端と実質的に同一平面で曲がる
請求項８に記載の導入器。
【請求項１０】
前記近位セクションが可撓性か展性の請求項１に記載の導入器。
【請求項１１】
前記近位セクションが、前記角度を設けたブジー先端と実質的に同一平面にあるように、方向性を有して曲がるよう設計される請求項１０に記載の導入器。
【請求項１２】
前記近位セクションが、前記方向性を有して曲がるように寄与するために、厚いよりも広いこと、および
前記近位セクションが前記方向性を有して曲がるように寄与する、内部のフラットワイヤを含むことの少なくとも１つである請求項１１に記載の導入器。
【請求項１３】
導入器をスタイレットとして使用するように構成したとき、前記近位セクションを約１８０度曲げることができ、減少した近位端は導入器用のハンドルを形成および維持するために前記事前に装填された気管内チューブの後端に挿入することができるように、前記近位セクションの近位端が、前記近位セクションの残りと比較して大きさが減少している請求項１０に記載の導入器。
【請求項１４】
近位セクションの近位端が前記近位セクションの残りの部分と比較して平らである請求項１３に記載の導入器。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
被験者のバイタルサイン情報を検出するデバイスであって、
経時的な画像のシーケンスを含む前記被験者の画像データを受信する入力ユニットと、
前記画像のシーケンスのうちの１つの画像内の初期関心領域（ＲＯＩ）を選択するＲＯＩ選択ユニットであって、前記初期ＲＯＩは前記被験者の身体部分を含む、ＲＯＩ選択ユニットと、
前記初期ＲＯＩ内の１つ以上の空間特徴を選択する特徴選択ユニットと、
前記画像データから、前記被験者の所望のバイタルサインに関連する前記身体部分の動作の方向及び／又は振幅を抽出する動作信号抽出ユニットと、
抽出された前記身体部分の動作の方向及び／又は振幅に基づいて、選択された前記空間特徴のうちの、その動作が前記被験者の前記所望のバイタルサインに関連していない１つ以上の空間特徴を検出する検出ユニットと、
最終ＲＯＩを取得するために、検出された前記１つ以上の空間特徴の位置の変化を検出することによって、及び、検出された前記変化に基づいて前記初期ＲＯＩの位置を移すことによって、前記初期ＲＯＩを追跡する追跡ユニットと、
前記画像のシーケンスのうちの画像内の前記最終ＲＯＩから、前記所望のバイタルサインを抽出するバイタルサイン抽出ユニットと、
を含む、デバイス。
【請求項２】
前記最終ＲＯＩを、新しい初期ＲＯＩとして再初期化するＲＯＩ再初期化ユニットを更に含む、請求項１に記載のデバイス。
【請求項３】
前記追跡ユニットは、前記１つ以上の空間特徴の位置が、幾つかの画像フレームにわたって安定した後に、前記初期ＲＯＩの追跡から取得されたＲＯＩを、最終ＲＯＩとして使用する、請求項１に記載のデバイス。
【請求項４】
前記特徴選択ユニットは、前記被験者の所望のバイタルサインに関連する前記身体部分の動作に対して不変である、好適には最も不変である、前記初期ＲＯＩ内の１つ以上の空間特徴を選択する、請求項１に記載のデバイス。
【請求項５】
前記被験者の所望のバイタルサインに関連する前記身体部分の前記動作は、呼吸動作であり、前記バイタルサイン情報は、呼吸情報である、請求項１に記載のデバイス。
【請求項６】
前記被験者の所望のバイタルサインに関連する前記身体部分の前記動作は、心拍動作であり、前記バイタルサイン情報は、脈拍数情報である、請求項１に記載のデバイス。
【請求項７】
前記特徴選択ユニットは、呼吸動作又は心拍動作に対して不変である、好適に最も不変である、前記初期ＲＯＩ内の１つ以上の空間特徴、具体的には、前記初期ＲＯＩ内の前記呼吸動作又は前記心拍動作の主方向に沿って配置される前記初期ＲＯＩ内の画像において端又は線を示す空間特徴を選択する、請求項５又は６に記載のデバイス。
【請求項８】
前記検出ユニットは、前記初期ＲＯＩ内の前記選択された空間特徴の位置の変化、並びに、前記被験者の所望のバイタルサインに関連する前記身体部分の動作の抽出された前記方向及び／又は前記振幅を検出することによって、前記選択された空間特徴のうちの、その動作が前記被験者の前記所望のバイタルサインに関連していない１つ以上の空間特徴を検出する、請求項１に記載のデバイス。
【請求項９】
前記検出ユニットは、前記初期ＲＯＩ内の選択された空間特徴間の距離の変化、前記初期ＲＯＩ内の選択された空間特徴の位置の変化の方向、及び／又は、前記被験者の所望のバイタルサインに関連する前記身体部分の動作からの、前記初期ＲＯＩ内の選択された空間特徴の位置の変化の偏差を解析することによって、前記選択された空間特徴のうちの、その動作が前記被験者の前記所望のバイタルサインに関連していない１つ以上の空間特徴を検出する、請求項１に記載のデバイス。
【請求項１０】
前記ＲＯＩ選択ユニットは、前記画像を空間ブロックに分割し、前記空間ブロックの複数からバイタルサインを抽出し、最も強いバイタルサインが抽出される２つ以上の隣接空間ブロックをクラスタリングし、クラスタリングされた前記空間ブロックを、初期ＲＯＩとして選択することによって、画像内の前記初期ＲＯＩを選択する、請求項１に記載のデバイス。
【請求項１１】
前記ＲＯＩ選択ユニットは、先に取得された前記最終ＲＯＩに隣接する複数の空間ブロックからバイタルサインを抽出し、最も強いバイタルサインが抽出される２つ以上の隣接する空間ブロックをクラスタリングし、クラスタリングされた前記空間ブロックを、新しい初期ＲＯＩとして選択することによって、前記先に取得された最終ＲＯＩから前記初期ＲＯＩを選択する、請求項１に記載のデバイス。
【請求項１２】
前記ＲＯＩ選択ユニットは、先に取得された最終ＲＯＩからの前記バイタルサインの信頼性又は質が、所定閾値を下回るか、又は、所定量だけ低下する場合に、前記先に取得された最終ＲＯＩから前記初期ＲＯＩを選択する、請求項１１に記載のデバイス。
【請求項１３】
前記検出ユニットは、前記初期ＲＯＩが、少なくとも部分的に遮蔽されているかどうかを検出し、前記バイタルサイン抽出ユニットは、前記初期ＲＯＩの非遮蔽部分から前記所望のバイタルサインを抽出する、請求項１に記載のデバイス。
【請求項１４】
被験者のバイタルサイン情報を検出する方法であって、
経時的な画像のシーケンスを含む前記被験者の画像データを受信するステップと、
１つの画像内の初期関心領域（ＲＯＩ）を選択するステップであって、前記初期ＲＯＩは前記被験者の身体部分を含む、ステップと、
前記初期ＲＯＩ内の１つ以上の空間特徴を選択するステップと、
前記画像データから、前記被験者の所望のバイタルサインに関連する前記身体部分の動作の方向及び／又は振幅を抽出するステップと、
抽出された前記身体部分の動作の方向及び／又は振幅に基づいて、選択された前記空間特徴のうちの、その動作が前記被験者の前記所望のバイタルサインに関連していない１つ以上の空間特徴を検出するステップと、
最終ＲＯＩを取得するために、検出された前記１つ以上の空間特徴の位置の変化を検出することによって、及び、検出された前記変化に基づいて前記初期ＲＯＩの位置を移すことによって、前記初期ＲＯＩを追跡するステップと、
前記画像のシーケンスのうちの画像内の前記最終ＲＯＩから、前記所望のバイタルサインを抽出するステップと、
を含む、方法。
【請求項１５】
コンピュータ上で実行された場合に、前記コンピュータに、請求項１４に記載の方法のステップを実行させるプログラムコード手段を含む、コンピュータプログラム。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
患者から異物を摘出するための摘出装置（１０）であって、
・柔軟性シース（１４）によって、前記柔軟性シース（１４）内に配置された伝動マンドリン（１６）によって、前記伝動マンドリン（１６）の近位領域が固定されたハンドル（１５）によって、且つ、前記伝動マンドリン（１６）の遠位端に接続されたツールによって形成される柔軟性摘出器（１１）と、
・前記柔軟性摘出器（１１）の前記柔軟性シース（１４）を中に配置できる剛性チューブ（２２）を有する補強装置（１２）と、
・前記柔軟性摘出器（１１）を前記補強装置（１２）に接続するための接続手段（１３）と、
を有することを特徴とする摘出装置。
【請求項２】
前記伝動マンドリン（１６）が前記柔軟性シース（１４）内を滑動することと、前記伝動マンドリン（１６）の前記近位領域が前記ハンドル（１５）に剛性接続されることを特徴とする、請求項１に記載の摘出装置。
【請求項３】
前記ハンドル（１５）が遠位部分（１７）及び近位部分（１８）を有し、前記遠位部分及び前記近位部分が互いに対して移動可能であることを特徴とする、請求項１に記載の摘出装置。
【請求項４】
前記ハンドル（１５）が長手方向スリット（１９）を有し、前記長手方向スリットが前記接続手段（１３）の一部を形成することを特徴とする、請求項１に記載の摘出装置。
【請求項５】
前記接続手段（１３）が、前記ハンドル（１５）に剛性接続された少なくとも１つの弾性タブ（２０）を有することを特徴とする、請求項１に記載の摘出装置。
【請求項６】
前記弾性タブ（２０）に、前記補強装置（１２）と協働する少なくとも１つの突起（２１）が設けられていることを特徴とする、請求項５に記載の摘出装置。
【請求項７】
前記補強装置（１２）が、前記柔軟性摘出器（１１）の前記柔軟性シース（１４）を受入れることができる剛性チューブ（２２）を有することを特徴とする、請求項１に記載の摘出装置。
【請求項８】
前記補強装置（１２）が、前記柔軟性摘出器（１１）の前記柔軟性シース（１４）の一部を受入れるように設計された迂回部材（２３）を有することを特徴とする、請求項１に記載の摘出装置。
【請求項９】
前記補強装置（１２）が保持部材（２６）を有し、前記保持部材（２６）は前記剛性チューブ（２２）に剛性接続され、且つ、前記柔軟性摘出器（１１）を前記補強装置（１２）に接続するための前記接続手段（１３）の一部を有することを特徴とする、請求項１に記載の摘出装置。
【請求項１０】
前記保持部材（２６）が、前記弾性タブ（２０）の前記突起（２１）と協働するように設計された少なくとも１つの切欠き（２７）を有することを特徴とする、請求項６に記載の摘出装置。
【請求項１１】
前記迂回部材（２３）が、前記柔軟性摘出器（１１）が前記補強装置（１２）に取付けられるとき、前記ハンドル（１５）の前記長手方向スリット（１９）内に自身を位置決めするように位置付けられ且つ寸法を決められることを特徴とする、請求項８に記載の摘出装置。
【請求項１２】
前記迂回部材（２３）が、前記柔軟性摘出器（１１）の前記柔軟性シース（１４）の一部を受入れることができる内側チャネル（２４）を有することを特徴とする、請求項８に記載の摘出装置。
【請求項１３】
柔軟性摘出器（１１）と協働するように意図された補強装置（１２）であって、前記柔軟性摘出器（１１）の一部を受入れることができる剛性チューブ（２２）と、前記補強装置（１２）を前記柔軟性摘出器（１１）に接続するための接続手段（１３）とを有することを特徴とする補強装置（１２）。
【請求項１４】
前記柔軟性摘出器（１１）の一部を受入れるように設計された迂回部材（２３）を追加的に有することを特徴とする、請求項１３に記載の補強装置。
【請求項１５】
前記迂回部材（２３）が、内側チャネル（２４）を有するリングによって形成されることを特徴とする、請求項１４に記載の補強装置。
【請求項１６】
前記迂回部材（２３）が、前記補強装置（１２）及び前記柔軟性摘出器（１１）を剛性接続するような方法で前記柔軟性摘出器（１１）のハンドル（１５）と協働することを特徴とする、請求項１４に記載の補強装置。
【請求項１７】
前記柔軟性摘出器（１１）及び前記迂回部材（２３）は、前記柔軟性摘出器（１１）が前記補強装置（１２）の中に導入されているとき、前記柔軟性摘出器（１１）及び前記補強装置（１２）の組立品が剛性ネフロスコープとしての使用と互換性がある長さを有するような相対長さを有することを特徴とする、請求項１４に記載の補強装置。